(57)【要約】【課題】差し込む時に壁との接触がなく、紙材を押圧するボールの押圧力をより大きくできるボールグリップ装置を提供する。【解決手段】一側に垂直面が形成され他側に傾斜面が形成され、一方向を向いて配列され、上部がレール部材で連結された複数のブロック体と、ブロック体の底部に取り付けられる下支え板と、ブロック体とブロック体の間に配置され、垂直面と下支え板の上面に接触して支持される第１ボールと、一側が第１ボールの外周面に接触し、他側が傾斜面に接触して支持される第２ボールと、下支え板が互いに離隔され、ブロック体の下部に形成される紙材の差込口と、が備えられ、第１ボールの中心と第２ボールの中心を結ぶ線が斜め下方向を向くように配置され、差込口から差し込まれた紙材が、第１ボール及び第２ボールで挟み込まれ、第２ボールの斜め下方向への押圧力で保持される。【選択図】図１
2020163687.tif 000002
【特許請求の範囲】
【請求項１】
一側に垂直面が形成され他側に傾斜面が形成され、一方向を向いて配列され、上部がレール部材で連結される複数のブロック体と、
前記ブロック体の底部に取り付けられる下支え板と、
前記ブロック体とブロック体の間に配置され、前記垂直面と前記下支え板の上面に接触して支持される第１ボールと、
前記ブロック体とブロック体の間に配置され、一側が前記第１ボールの外周面に接触し、他側が前記傾斜面に接触して支持される第２ボールと、
前記下支え板が互いに離隔され、前記ブロック体の下部に形成される紙材の差込口と、が備えられ、
前記第１ボールの中心と前記第２ボールの中心を結ぶ線（ｍ）が斜め下方向を向くように配置され、前記差込口から差し込まれた紙材が、前記第１ボール及び前記第２ボールで挟み込まれ、前記第２ボールの斜め下方向への押圧力で保持されることを特徴とするボールクリップ装置。
【請求項２】
前記ブロック体の両側面に囲い板が設けられ、前記囲い板は、前記第１ボール及び第２ボールの脱落を防止し、前記紙材が前記第１ボール及び前記第２ボールの間に挿入可能となるよう互いに離隔していることを特徴とする請求項１に記載のボールクリップ装置。
【請求項３】
前記第１ボール及び前記第２ボールが、ガラス玉であることを特徴とする請求項１に記載のボールクリップ装置。
【発明の詳細な説明】
【技術分野】
【０００１】
本発明は、ボールクリップ装置に係り、より詳しくは、挟み込む時、紙材と壁との間の摩擦がないボールグリップ装置に関する。
【背景技術】
【０００２】
特許文献１には、紙を球体と壁の間に挟み込むペーパクリップが開示される。具体的には、紙が球体と壁の間に挟み込まれ、紙は傾斜面にある球体により水平に壁に押圧される。この構造では、紙をペーパクリップに差し込む時、紙と壁との摩擦が大きく紙が変形しやすい。また、球体が紙を押圧する力は傾斜面の角度を６０度とした場合、紙を壁に押す力は、球体の重量が１０ｇなら約４．３ｇと小さい。紙の厚さは、薄いものでは０．０７ｍｍ、ハガキなら約０．２５ｍｍ程度である。破れにくい和紙は、厚さが約０．１５ｍｍである。そのため、紙を差し込む時に、壁との摩擦がない構造が望まれる。また、同じ球体でも押圧力を大きくできる構造が望まれる。
【先行技術文献】
【特許文献】
【０００３】
【特許文献１】特開２０００−２４７０８０号公報
【発明の概要】
【発明が解決しようとする課題】
【０００４】
本発明の目的は、差し込む時に壁と接触がなく、紙材を押圧するボールの押圧力をより大きくできるボールグリップ装置を提供することにある。
【課題を解決するための手段】
【０００５】
本発明によるボールクリップ装置は、一側に垂直面が形成され他側に傾斜面が形成され、一方向を向いて配列され、上部がレール部材で連結される複数のブロック体と、前記ブロック体の底部に取り付けられる下支え板と、前記ブロック体とブロック体の間に配置され、前記垂直面と前記下支え板に接触して支持される第１ボールと、前記ブロック体とブロック体の間に配置され、一側が前記第１ボールの外周面に接触し、他側が前記傾斜面に接触して支持される第２ボールと、前記下支え板が互いに離隔され、前記ブロック体の下部に形成される紙材の差込口と、が備えられ、前記第１ボールの中心と前記第２ボールの中心を結ぶ線（ｍ）が斜め下方向を向くように配置され、前記差込口から差し込まれた紙材が、前記第１ボール及び前記第２ボールで挟み込まれ、前記第２ボールの斜め下方向への押圧力で保持されることを特徴とする。
【０００６】
前記ブロック体の両側面に囲い板が設けられ、前記囲い板は、前記第１ボール及び第２ボールの脱落を防止し、前記紙材が前記第１ボール及び前記第２ボールの間に挿入可能となるよう互いに離隔していることを特徴とする。
【０００７】
前記第１ボール及び前記第２ボールが、ガラス玉であることを特徴とする。
【発明の効果】
【０００８】
本発明のボールクリップ装置によれば、
（１）第１ボールと第２ボールで紙材を挟み込む構造としたので、紙材が壁と接触せず、差し込む時の紙材の変形やしわが防げる。
（２）第２ボールが第１ボールの外周面に角度を持って接触させ、第１ボールの中心と第２ボールの中心を結ぶ線（ｍ）が斜め下方向を向くように配置したので、第２ボールが紙材を押圧する押圧力を、垂直な壁に紙材を水平に押圧する場合に比較してより大きくできる。
（３）複数のブロック体は、一側に垂直面が形成され、他側に傾斜面が形成されたブロック体を共通に使用できる。
（４）複数のブロック体をレール部材に直線状に取り付けたので、多数の紙材を挟み込んで吊り下げることができる。吊り下げる紙材の枚数をこなすことができる。
【０００９】
ブロック体の両側面に囲い板を設けたので、第１ボール及び第２ボールが側面から脱落しないようにできる。ブロック体に溝を形成してボールを保持する場合に比較して製作が容易になる。例えばボールの径が変更になっても、内部空間の大きさにもよるが、そのまま使用できる。
【００１０】
第１ボール及び第２ボールをガラス玉としたので、プラスチックと比較して耐久性と耐薬品性を有する。ステンレスの鋼球と比較して腐食の心配がない。ガラス玉は、鋼球に比べて軽く、第２ボールの直径が大きくなるところ、斜め下方向を向く押圧力で、サイズが大きくなることを押さえることができる。
【図面の簡単な説明】
【００１１】
【図１】本発明によるボールクリップ装置の正面図である。実施例１
【図２】図１のＡ−Ａ断面図（平面図）である。
【図３】本発明によるボールクリップ装置の一使用例を示す図である。
【図４】第１ボールと第２ボールの動きを示す説明図である。（Ａ）は紙材を差し込む場合、（Ｂ）は紙材を抜き去る場合を示す。
【図５】紙材を挟み込む時の押圧力の説明図である。
【図６】本発明によるボールクリップ装置の他の使用例を示す図である。
【発明を実施するための形態】
【００１２】
以下、添付の図面を参照して、本発明のボールクリップ装置を詳しく説明する。
【実施例】
【００１３】
図１は、本発明によるボールクリップ装置１００の正面図である。ボールクリップ装置１００は、上部がレール部材８で連結される複数のブロック体５と、２つのブロック体５の間に配置される第１ボール１及び第２ボール２と、下支え板４と、を含んで構成される。ブロック体５は、一側に垂直面７が形成され、他側に傾斜面６が形成される。また、ブロック体５は、一方向を向いて配列され、垂直面７と傾斜面６が対向するように配列される。ブロック体５は、最低でも２つが必要で、複数個が配列される。
【００１４】
第１ボール１は、ブロック体５、５間に配置され、ブロック体５の垂直面７と、下支え板４の上面に接触して支持される。第２ボール２は、ブロック体５、５間に配置され、一側が第１ボール１の外周面に接触し、他側がブロック体５の傾斜面６に接触して支持される。ブロック体５の前後両側面には、囲み板３が設けられるので、第１ボール１及び第２ボール２の外部への落下が防止される。ブロック体５、５の間が、紙材１０を挟み込み箇所になる。そのため、下支え板４は、左右方向に互いに離隔されており、ブロック体５の下部に紙材１０の差込口９が形成される。差込口９から差し込まれた紙材１０は、第１ボール１及び第２ボール２で挟み込まれ、吊り下げ状態に保持される。
【００１５】
図２は、図１のＡ−Ａ断面図（平面図）である。囲み板３も左右方向に互いに離隔されており、差し込んだ紙材１０が上部まで差し込める。本実施例では、第２ボール２の直径は、第１ボール１の直径より大きくした。具体的には、第２ボール２は直径が２５ｍｍ、重量が１９．４ｇのガラス玉で、第１ボール１は、直径が１７ｍｍ、重量が６．５ｇのガラス玉である。差し込んだ紙材１０は、第１ボール１及び第２ボール２で挟み込まれる。
【００１６】
図３は、本発明によるボールクリップ装置１００の一使用例を示す図である。２本のレール部材８に複数のブロック体５が取り付けられており、紙材１０の上部の左右２箇所を挟み込む。ボールクリップ装置１００は、和紙を吊り下げ、染色（版画等）後の乾燥を早める際に使用できる。
【００１７】
図４は、第１ボール１と第２ボール２の動きを示す説明図である。（Ａ）は紙材１０を差し込む場合、（Ｂ）は紙材１０を抜き去る場合を示す。（Ａ）に示すように、紙材１０を差込口９に差し込み、さらに押し上げて紙材１０を第１ボール１と第２ボール２で挟み込み、第２ボール２を紙材１０の厚さ分、０．０７〜０．２５ｍｍ上昇させ、紙材１０を吊り下げ状態とする。吊り下げ状態では、傾斜面６の上に第２ボール２があるので、第２ボール２の自重によって紙材１０が第１ボール１に押圧される。なお、第２ボール２は、紙材１０が挿入されない状態では、底部が下支え板４の上面から離れた状態にある。（Ｂ）に示すように、紙材１０を抜き去る場合は、紙材１０を下方向に引き抜く。一定の引き抜き力があれば、第２ボール２が摩擦で回転するので、紙材１０を引く抜くことができる。
【００１８】
図５は、紙材１０を挟み込む時の押圧力の説明図である。第２ボール２の自重をＦとし、傾斜面６の角度をθとし、第１ボール１の中心と第２ボール２の中心を結ぶ線ｍが水平線となす角度をθ’とする。第２ボール２は、斜め下方向（線ｍで示す方向）への押圧力（Ｆａ）で紙材１０を保持する。なお、第２ボール２は、傾斜面６を押圧力（Ｆｂ）で押圧する。第１ボール１の直径をｄ１、第２ボール２の直径をｄ２とすると、長さＬをｄ１＋ｄ２より小さく設定することで、線ｍを斜め下方向に向けるができる。ｄ１とｄ２が同じ直径であっても、長さＬをｄ１＋ｄ２より小さく設定すれば、線ｍを斜め下方向に向けることができる。第２ボール２は、第１ボール１と同じ直径のものでもこのような位置関係に配置できる。
【００１９】
図６は、本発明によるボールクリップ装置１００の他の使用例を示す図である。
レール部材８は１本でもよく、紙材１０を湾曲させて、上部の左右２箇所を挟み込むことができる。
【００２０】
本実施例によれば、（１）紙材が壁と接触しないので、紙材の変形やしわが防げる。（２）第１ボールと第２ボールで紙材を挟み込み、第２ボールが紙材を斜め下方向に押圧するので、同じボールであっても押圧力をより大きくできる。（３）複数のブロック体をレール部材に取り付けたので、多数の紙材を挟み込んで吊り下げることができる。（４）第１ボールと第２ボールを耐薬品性の有るガラス玉（ビー玉）を使用できる。などの効果を奏する。
【産業上の利用可能性】
【００２１】
本発明は、多数の紙材を吊り下げるボールクリップ装置として好適である。
【符号の説明】
【００２２】
１    第１ボール
２    第２ボール
３    囲い板
４    下支え板
５    ブロック体
６    傾斜面
７    垂直面
８    レール部材
９    差込口
１０    紙材
１００    ボールクリップ装置
【図１】
2020163687.tif 000003
【図２】
2020163687.tif 000004
【図３】
2020163687.tif 000005
【図４】
2020163687.tif 000006
【図５】
2020163687.tif 000007
【図６】
2020163687.tif 000008